(57)【要約】【課題】  被検眼の角膜曲率と角膜形状とを単一の装置を用いて測定可能な技術を提供する。【解決手段】  眼科装置は、被検眼に対向して配置される見口と、見口から被検眼の角膜表面にパターン光を投影するための複数の光源と、複数の光源から投影されたパターン光の角膜表面から見口を介して入射する反射光を受光する受光部と、制御部と、を備える。制御部は、角膜曲率を測定するための角膜曲率測定モードと、角膜形状を測定するための角膜形状測定モードとを切り換え可能に構成されており、複数の光源を独立して制御することにより、角膜曲率測定モードでは第１のパターン光を被検眼の角膜表面に投影し、角膜形状測定モードでは第１のパターン光とは異なる第２のパターン光を被検眼の角膜表面に投影するように構成されている。【選択図】図１
2020195584.tif 000002
【特許請求の範囲】
【請求項１】
被検眼の角膜曲率及び角膜形状を測定する眼科装置であって、
前記被検眼に対向して配置される見口と、
前記見口から前記被検眼の角膜表面にパターン光を投影するための複数の光源と、
前記複数の光源から投影された前記パターン光の前記角膜表面から前記見口を介して入射する反射光を受光する受光部と、
制御部と、
を備え、
前記制御部は、
前記角膜曲率を測定するための角膜曲率測定モードと、前記角膜形状を測定するための角膜形状測定モードとを切り換え可能に構成されており、
前記複数の光源を独立して制御することにより、前記角膜曲率測定モードでは第１のパターン光を前記被検眼の前記角膜表面に投影し、前記角膜形状測定モードでは前記第１のパターン光とは異なる第２のパターン光を前記被検眼の前記角膜表面に投影するように構成されている、
眼科装置。
【請求項２】
前記複数の光源は、第１の光源と、第２の光源を含み、
前記制御部は、
前記角膜曲率測定モードでは前記第１の光源のみを点灯させることにより、前記第１のパターン光を投影し、
前記角膜形状測定モードでは前記第１の光源及び前記第２の光源を共に点灯させることにより、前記第２のパターン光を投影する、請求項１に記載の眼科装置。
【請求項３】
前記見口は、パターン光形成部と、遮光部と、を備え、
前記パターン光形成部は、同心円状に配置されたリング状の複数の透光部を備えており、前記複数の光源から照射された光を前記複数の透光部を通過させることにより前記パターン光を形成し、
前記複数の透光部は、前記第１の光源に対応する第１の透光部と、前記第２の光源に対応する第２の透光部を含んでおり、
前記遮光部は、前記第１の光源から照射された光が、前記第２の透光部を通過しないように配置されている、請求項２に記載の眼科装置。
【請求項４】
前記パターン光の前記反射光の光路上であって、前記見口と前記受光部の間に配置される対物レンズをさらに備えており、
前記眼科装置は、前記見口と、前記複数の光源と、前記受光部と、前記対物レンズとを収容する筐体を備えており、
前記制御部は、前記角膜曲率測定モードにおける前記被検眼と前記対物レンズの間の作動距離である第１の作動距離が、前記角膜形状測定モードにおける前記被検眼と前記対物レンズの間の前記作動距離である第２の作動距離よりも長くなるように、前記筐体を移動可能に構成されている、請求項１〜３のいずれか一項に記載の眼科装置。
【請求項５】
前記パターン光の前記反射光の前記光路上に設けられ、前記反射光の焦点位置を調整する焦点位置調整レンズをさらに備え、
前記制御部は、前記作動距離に応じて前記反射光が前記受光部で結像するように前記焦点位置調整レンズを移動可能に構成されている、請求項４に記載の眼科装置。
【発明の詳細な説明】
【技術分野】
【０００１】
本明細書に開示する技術は、眼科装置に関する。詳細には、被検眼に対する複数種類の計測を実施可能な眼科装置に関する。
【背景技術】
【０００２】
被検眼の疾患の診断や視機能の検査を的確に行うために、被検眼の各部位に対する計測を実施可能な眼科装置が開発されている。
【０００３】
特許文献１には、被検眼の角膜曲率を測定するための装置が開示されている。この装置では、被検眼の角膜に対してリング状のパターン光を投影し、当該パターン光の反射光から得られる反射像に基づいて、被検眼の角膜曲率を測定する。
【０００４】
特許文献２には、被検眼の角膜形状を測定するための装置が開示されている。この装置では、被検眼の角膜に対して同心円状となる複数のリング状のパターン光を投影し、当該複数のパターン光の反射光から得られる反射像に基づいて、被検眼の角膜形状を測定する。
【先行技術文献】
【特許文献】
【０００５】
【特許文献１】特開平２−３１７２９号公報
【特許文献２】特開平８−２８０６２３号公報
【発明の概要】
【発明が解決しようとする課題】
【０００６】
従来では、被検眼の角膜曲率と角膜形状を測定するために別々の装置を用いていたため、角膜曲率及び角膜形状を測定するために要する時間が長くなり、測定効率が低かった。このため、被検者の負担の増大や、各測定において被検眼の状態が変化することによる各測定結果の相関性の低下等の問題があった。本明細書は、被検眼の角膜曲率と角膜形状とを単一の装置を用いて測定可能な技術を提供する。
【課題を解決するための手段】
【０００７】
本明細書に開示する眼科装置は、被検眼の角膜曲率及び角膜形状を測定する。前記眼科装置は、前記被検眼に対向して配置される見口と、前記見口から前記被検眼の角膜表面にパターン光を投影するための複数の光源と、前記複数の光源から投影された前記パターン光の前記角膜表面から前記見口を介して入射する反射光を受光する受光部と、制御部と、を備える。前記制御部は、前記角膜曲率を測定するための角膜曲率測定モードと、前記角膜形状を測定するための角膜形状測定モードとを切り換え可能に構成されている。前記制御部は、前記複数の光源を独立して制御することにより、前記角膜曲率測定モードでは第１のパターン光を前記被検眼の前記角膜表面に投影し、前記角膜形状測定モードでは前記第１のパターン光とは異なる第２のパターン光を前記被検眼の前記角膜表面に投影するように構成されている。
【０００８】
上記の眼科装置は、被検眼の角膜曲率を測定するための角膜曲率測定モードと、被検眼の角膜形状を測定するための角膜形状測定モードとを切換え可能に構成されている。具体的には、この眼科装置は、複数の光源を備えている。複数の光源のそれぞれは、制御部によって独立して制御される。このため、制御部が複数の光源のそれぞれを制御することにより、角膜曲率測定モードと角膜形状測定モードとにおいて、同一の見口から異なるパターン光を被検眼の角膜表面に投影することができる。すなわち、各測定に適したパターン光（すなわち、第１のパターン光及び第２のパターン光）を同一の見口から被検眼の角膜表面に対して投影することができる。したがって、上記の眼科装置によれば、被検眼の角膜曲率及び角膜形状の双方を同一の装置で測定することができる。
【図面の簡単な説明】
【０００９】
【図１】実施例に係る眼科装置の角膜曲率測定における光学系の構成を示す模式図。
【図２】角膜測定用見口の拡大図。
【図３】実施例に係る眼科装置の眼圧測定における光学系の構成を示す模式図。
【図４】（ａ）角膜測定用見口の前面図（透光フィルムを取り付けた状態）。（ｂ）角膜測定用見口の前面図（透光フィルムを取り外した状態）。
【図５】角膜表面に投影されたパターン光の一例を示す図。
【図６】角膜表面に投影されたパターン光の他の一例を示す図。
【図７】眼科装置の制御系の構成を示すブロック図。
【図８】実施例に係る眼科装置の角膜形状測定における光学系の構成を示す模式図。
【発明を実施するための形態】
【００１０】
以下に説明する実施形態の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１１】
本技術の一実施形態では、複数の光源は、第１の光源と、第２の光源を含んでもよい。制御部は、角膜曲率測定モードでは第１の光源のみを点灯させることにより、第１のパターン光を投影し、角膜形状測定モードでは第１の光源及び第２の光源を共に点灯させることにより、第２のパターン光を投影してもよい。
【００１２】
このような構成では、角膜曲率測定モードと角膜形状測定モードとにおいて、光源の一部が共用される。したがって、装置の大型化が抑制され、コストを低減することができる。
【００１３】
本技術の一実施形態では、見口は、パターン光形成部と、遮光部とを備えてもよい。パターン光形成部は、同心円状に配置されたリング状の複数の透光部を備えてもよく、複数の光源から照射された光を複数の透光部を通過させることによりパターン光を形成してもよい。複数の透光部は、第１の光源に対応する第１の透光部と、第２の光源に対応する第２の透光部を含んでもよい。遮光部は、第１の光源から照射された光が、第２の透光部を通過しないように配置されていてもよい。
【００１４】
このような構成では、第１の光源のみが点灯される角膜曲率測定モードにおいて、第１の光源から照射された光が、第２の光源に対応する第２の透光部を介して被検眼に投影されることが抑制される。すなわち、角膜曲率測定モードでは、第１の透光部のみを透過したリング状のパターン光を投影することができる。上記の構成によれば、第１の光源から照射された光が被検眼の角膜表面に対して多重のリング状のパターン光として投影されてしまうことが抑制され、例えば、涙液層の乱れに起因するパターン光同士の干渉等が生じ難い。したがって、上記の構成によれば、角膜曲率を精度良く測定することができる。
【００１５】
本技術の一実施形態では、パターン光の反射光の光路上であって、見口と受光部の間に配置される対物レンズをさらに備えてもよい。眼科装置は、見口と、複数の光源と、受光部と、対物レンズとを収容する筐体を備えてもよい。制御部は、角膜曲率測定モードにおける被検眼と対物レンズの間の作動距離である第１の作動距離が、角膜形状測定モードにおける被検眼と対物レンズの間の作動距離である第２の作動距離よりも長くなるように、筐体を移動可能に構成されていてもよい。
【００１６】
上記の構成では、角膜曲率を測定する際の第１の作動距離が、角膜形状を測定する際の第２の作動距離よりも長い。したがって、角膜形状を測定する際には、被検眼と対物レンズの間の距離が比較的短くなり、被検眼の広範囲を撮影することができる。一方で、角膜曲率を測定する際には、被検眼と対物レンズの間の距離が比較的長くなる。このため、被検者に器械近視が生じることを抑制することができる。このように、上記の構成によれば、角膜曲率の測定と角膜形状の測定とを、同一の見口を用いて好適に実施することができる。
【００１７】
本技術の一実施形態では、パターン光の反射光の光路上に設けられ、反射光の焦点位置を調整する焦点位置調整レンズをさらに備えてもよい。制御部は、作動距離に応じて反射光が受光部で結像するように焦点位置調整レンズを移動可能に構成されていてもよい。
【００１８】
このような構成では、作動距離に応じた位置に焦点位置調整レンズを移動させることができる。このため、各測定において、被検眼の角膜表面からの明瞭な反射像を撮影することができる。
【００１９】
（実施例）
以下、実施例の眼科装置１０について説明する。眼科装置１０は、被検眼の角膜曲率及び角膜形状を測定するとともに、被検眼の眼圧を測定する装置である。眼科装置１０は、筐体１００を備えている。筐体１００内には、角膜測定用見口１２（図１参照）と、眼圧測定用見口６２（図３参照）が配置されている。角膜測定用見口１２は、被検眼Ｅの角膜曲率及び角膜形状を測定するために用いられる。眼圧測定用見口６２は、被検眼Ｅの眼圧を測定するために用いられる。図１では、眼圧測定用見口６２が省略して描かれており、図３では、角膜測定用見口１２が省略して描かれている。角膜測定用見口１２と眼圧測定用見口６２とは、筐体１００内において、被検眼Ｅに対して照射する光の光軸が異なる位置に配置されている。例えば、角膜測定用見口１２の上側に眼圧測定用見口６２が位置するように積層配置されている。角膜測定用見口１２と眼圧測定用見口６２とは、被検眼Ｅの各測定モードに応じて、被検眼Ｅに対向する位置に移動される。したがって、図１及び図３では、それぞれの見口１２、６２が被検眼Ｅに対向する位置に移動された状態を示している。なお、角膜測定用見口１２と眼圧測定用見口６２が配置される相対的な位置関係は特に限定されない。
【００２０】
図１は、被検眼Ｅの角膜曲率を測定するときの状態を示している。図１に示すように、角膜測定用見口１２は、被検眼Ｅ（詳細には、角膜）に対向して配置される。図２に示すように、角膜測定用見口１２は、第１部材２０と、第２部材２２と、第３部材２４と、複数の角膜形状測定用光源１４（以下、単に光源１４ともいう。）と、複数の角膜曲率測定用光源１６（以下、単に光源１６ともいう。）と、透光フィルム１８を有している。以下では、便宜上、図１及び図２の左側を「前」、右側を「後」として説明を続ける。
【００２１】
第１部材２０は、角膜測定用見口１２の外周縁を画定する筒状部材である。第２部材２２は、第１部材２０の内周側に設けられるリング状部材である。第３部材２４は、第２部材２２の内周側に設けられるリング状部材である。第１部材２０、第２部材２２及び第３部材２４によって、角膜測定用見口１２のコーンが構成されている。第１部材２０、第２部材２２、第３部材２４は、それぞれ透光性を有する材料（例えば、透明樹脂）により構成されている。角膜測定用見口１２には、その中心を前面から後面まで貫通する孔１２ａが形成されている。孔１２ａは、第３部材２４の内周面によって画定される。孔１２ａは、被検眼Ｅの角膜頂点に対向する位置に配置される。
【００２２】
第１部材２０、第２部材２２及び第３部材２４の外壁面には、光を反射する塗装が施されている。一方、各部材２０、２２、２４の内壁面には、透光フィルム１８が設けられている。具体的には、図２に示すように、透光フィルム１８は、第１部材２０の内周面２０ａ、第２部材２２の前面２２ａ及び第３部材２４の前面２４ａに跨る範囲に設けられている。透光フィルム１８は、透光部１８ａ、１８ｂ、１８ｃを有している。図２に示すように、透光部１８ａは、第１部材２０の内周面２０ａに接する範囲に複数設けられている。透光部１８ｂは、第２部材２２の前面に接する範囲に設けられている。透光部１８ｃは、第３部材２４の前面に接する範囲に複数設けられている。図４（ａ）は、角膜測定用見口１２を前面側（すなわち、被検眼Ｅ側）から見たときの図である。図４（ａ）に示すように、各透光部１８ａ、１８ｂ、１８ｃは、角膜測定用見口１２の孔１２ａを中心とする同心円状に配置されている。本実施例では、透光フィルム１８を角膜測定用見口１２の前面側から見ると、外周側に９つの透光部１８ａ（図２参照）が設けられ、透光部１８ａの内周側に透光部１８ｂが設けられ、透光部１８ｂの内周側に４つの透光部１８ｃが設けられている。なお、図４（ａ）では、透光部１８ａが単一であるように描かれているが、実際には９つの透光部１８ａのそれぞれが隣接する透光部１８ａと部分的に重複している。各透光部１８ａ、１８ｂ、１８ｃは、透光フィルム１８に対して、遮光性を有する塗料を同心円状に所定の間隔を空けて印刷することにより形成される。したがって、透光フィルム１８は、透光部１８ａ、１８ｂ、１８ｃでは光を透過する一方、透光部１８ａ、１８ｂ、１８ｃ以外の範囲（すなわち、塗料が印刷された範囲）では光を遮断する。なお、透光フィルム１８は、第１部材２０の内周面２０ａを覆う範囲、第２部材の前面２２ａを覆う範囲、及び第３部材２４の前面２４ａを覆う範囲のそれぞれに分割されて設けられていてもよい。
【００２３】
各光源１４、１６は、角膜測定用見口１２の後面側に取り付けられている。図４（ｂ）は、角膜測定用見口１２を前面側から見たときの図である。図４（ｂ）では、透光フィルム１８等の図示を省略している。図４（ｂ）に示すように、光源１４は、複数の外周側光源１４ａと、複数の内周側光源１４ｂを有している。各外周側光源１４ａは、図４（ａ）の透光部１８ａに対応しており、透光部１８ａに沿って周方向に所定の間隔を空けてそれぞれ設けられている。各内周側光源１４ｂは、図４（ａ）の透光部１８ｃに対応しており、透光部１８ｃに沿って周方向に所定の間隔を空けてそれぞれ設けられている。すなわち、各光源１４ａ、１４ｂは、透光部１８ａ、１８ｃに沿う円形状に配置されている。複数の光源１６は、外周側光源１４ａと内周側光源１４ｂの間の範囲に設けられている。複数の光源１６は、図４（ａ）の透光部１８ｂに対応する位置に設けられている。各光源１６は、透光部１８ｂに沿って周方向に所定の間隔を空けてそれぞれ設けられている。すなわち、各光源１６は、透光部１８ｂに沿う円形状に配置されている。外周側光源１４ａが点灯されると、外周側光源１４ａからの光が９つの透光部１８ａを透過した後、被検眼Ｅの角膜表面に投影され、被検眼Ｅに９つのリング状のパターン光が投影される。同様に、内周側光源１４ｂが点灯されると、内周側光源１４ｂからの光が４つの透光部１８ｃを透過した後、被検眼Ｅの角膜表面に投影され、被検眼Ｅに４つのリング状のパターン光が投影される。また、光源１６が点灯されると、光源１６からの光が透光部１８ｂを透過することにより、被検眼Ｅに１つのリング状のパターン光が投影される。したがって、全ての光源１４、１６を点灯させた場合、被検眼Ｅの角膜表面には、図５に示すように、多重のリング状のパターン光が投影される。なお、上述した透光部１８ａ、１８ｃの数は特に限定されない。また、図５に示す画像におけるリング状のパターン光の数は一例である。このため、上述したリング状のパターン光の数（すなわち、透光部１８ａを透過した９つのリングと、透光部１８ｃを透過した４つのリングと、透光部１８ｂを透過した１つのリングとの和）とは異なっていることに留意されたい。
【００２４】
図２及び図４（ｂ）に示すように、角膜測定用見口１２はまた、遮光部２６を有している。遮光部２６は、光源１４と光源１６の間に設けられている。具体的には、外周側光源１４ａと光源１６との間の周方向の全周に亘って遮光部２６が設けられている。また、内周側光源１４ｂと光源１６との間の周方向の全周に亘って遮光部２６が設けられている。すなわち、図２に示すように、各遮光部２６は、各光源１６の取付面から第２部材２２に接する位置まで伸びている。
【００２５】
図１に示すように、眼科装置１０は、対物レンズ５２、ハーフミラー５４、焦点位置調整レンズ５６、受光部３８、固視灯点光源２７、及びレンズ５８を備えている。対物レンズ５２、ハーフミラー５４、焦点位置調整レンズ５６、受光部３８、固視灯点光源２７、及びレンズ５８は、角膜測定用見口１２の後方に設けられている。
【００２６】
ハーフミラー５４には、固視灯点光源２７から照射された光がレンズ５８を介して入射する。固視灯点光源２７から照射された光は、ハーフミラー５４で反射され、対物レンズ５２を介して角膜測定用見口１２に入射する。角膜測定用見口１２に入射した光は、孔１２ａを介して被検眼Ｅの角膜に照射される。固視灯点光源２７の光は、角膜観察時の固視灯として用いられ、角膜測定用見口１２によって形成される同心円状のパターン光の中心に位置するように調整される。また、被検眼Ｅの角膜表面で反射された光（すなわち、角膜表面に投影された同心円状のパターン光（図５参照）の反射像と、固視灯の光の反射光の反射像）は、角膜測定用見口１２、対物レンズ５２及びハーフミラー５４を透過し、焦点位置調整レンズ５６によって焦点調整が行われた後に、受光部３８で観察される。
【００２７】
なお、上述した眼科装置１０で角膜の状態を正確に測定するためには、被検眼Ｅの角膜頂点を中心とする同心円状にリング状のパターン光を投影することが好ましい。このためには、角膜曲率の測定時に固視灯点光源２７を点灯し、その光を被検者に固視させる。検査者は、受光部３８で観察される固視灯点光源２７の光が画像中央に位置するように、被検眼Ｅに対して光学系の位置を調整する。これによって、被検眼Ｅの角膜頂点を中心とするリング状のパターン光を投影することができる。なお、後に詳述するが、角膜曲率の測定時には、図６に示すように、被検眼Ｅの角膜表面に対して一重のリング状のパターン光を投影する。
【００２８】
図３は、被検眼Ｅの眼圧を測定するときの状態を示している。図３に示すように、本実施例では、被検眼Ｅの眼圧を測定する際には、角膜測定用見口１２に代えて、眼圧測定用見口６２が被検眼Ｅに対向して配置される。眼圧測定用見口６２は、ノズル６４を備えている。また、眼圧測定用見口６２は、シリンダ、ピストン、眼圧測定用光源（共に不図示）等を備えている。なお、眼圧測定用見口６２以外の光学系については、上述した角膜曲率の測定における光学系（図１）と同様である。
【００２９】
眼圧測定時には、まず、眼圧測定用光源を点灯する。そして、ソレノイドなどを用いてシリンダ内のピストンを駆動制御することにより、ノズル６４に圧縮した空気を流入させ、被検眼Ｅの角膜に向けて空気を噴射する。空気が噴射されると角膜が変位変形するため、受光部３８で受光する光量が変化する。この光量の変化の度合いから被検眼Ｅの眼圧値を算出することができる。
【００３０】
次に、眼科装置１０の制御系の構成について説明する。図７に示すように、眼科装置１０の制御は、制御部５０によって実行される。制御部５０は、ＣＰＵ、ＲＯＭ、ＲＡＭ等を備えるコンピュータによって構成される。制御部５０には、角膜形状測定用光源１４、角膜曲率測定用光源１６、固視灯点光源２７、表示部２８、操作部３０、受光部３８、メモリ４０が接続されている。表示部２８は、各種の情報を表示するためのディスプレイである。操作部３０は、被検眼Ｅの測定モードを選択するためのボタン、被検眼Ｅの撮影を開始するためのボタン、各種の情報を入力するためのボタン等を有している。操作部３０は、検査者によって操作される。本実施例では、眼科装置１０は、被検眼Ｅの角膜曲率を測定する角膜曲率測定モード、被検眼Ｅの角膜形状を測定する角膜形状測定モード、及び、被検眼Ｅの眼圧を測定する眼圧測定モードに切り換え可能に構成されている。例えば、検査者が角膜曲率測定モードを選択して、撮影開始のボタンを操作すると、制御部５０は所定のプログラムを起動して、被検眼Ｅの角膜曲率を測定する。受光部３８によって撮影された画像データは、制御部５０に入力され、メモリ４０に記憶される。また、制御部５０は、各光源１４、１６及び固視灯点光源２７のオンオフを行い、また、受光部３８で撮影された画像等を表示部２８に表示する。なお、制御部５０は、光源１４と光源１６とを、それぞれ独立して制御することが可能である。
【００３１】
制御部５０には、また、見口アクチュエータ３２、筐体アクチュエータ３４及び焦点位置調整アクチュエータ３６が接続されている。見口アクチュエータ３２が駆動することにより、積層配置された各見口１２、６２を上下方向に移動させ、角膜測定用見口１２又は眼圧測定用見口６２を眼科装置１０に対して固定された被検眼Ｅに対向する位置に移動させる。具体的には、見口アクチュエータ３２は、角膜曲率測定モード及び角膜形状測定モードが選択された場合には、角膜測定用見口１２を被検眼Ｅに対向する位置に移動させ、眼圧測定モードが選択された場合には、眼圧測定用見口６２を被検眼Ｅに対向する位置に移動させる。
【００３２】
筐体アクチュエータ３４は、眼科装置１０に固定された被検眼Ｅに対して筐体１００を前後方向（反射光の光軸方向）に移動させる。筐体アクチュエータ３４が筐体１００を前後方向に移動させることにより、被検眼Ｅと筐体１００の距離（すなわち、被検眼Ｅと対物レンズ５２の間の作動距離）が変化する。焦点位置調整アクチュエータ３６は、筐体１００内において焦点位置調整レンズ５６を前後方向に移動させる。焦点位置調整アクチュエータ３６が焦点位置調整レンズ５６を移動させることによって、被検眼Ｅからの反射光の焦点位置が調整され、当該反射光を受光部３８に結像させることができる。
【００３３】
次に、眼科装置１０を用いて被検眼Ｅの角膜曲率、角膜形状及び眼圧を測定する手順について説明する。本明細書では、角膜曲率、角膜形状、眼圧の順に測定を実施する場合について説明する。
【００３４】
（角膜曲率測定）
まず、検査者は、操作部３０を操作することによって、被検眼Ｅの角膜曲率を測定するための角膜曲率測定モードを選択する。すると、制御部５０は、筐体アクチュエータ３４を駆動して、図１に示すように、眼科装置１０に固定された被検眼Ｅと対物レンズ５２との間の距離が第１の作動距離Ｄ１となる位置まで、筐体１００を移動させる。続いて、検査者は、固視灯点光源２７を点灯させ、被検者に固視灯を固視するよう指示する。固視灯点光源２７が点灯されると、被検眼Ｅの角膜表面で反射された光が、受光部３８で観察される。これを利用して、制御部５０は、焦点位置調整アクチュエータ３６を駆動することにより、角膜表面からの反射光が受光部３８で結像する位置に焦点位置調整レンズ５６を移動させる。また、検査者は、表示部２８に表示される画像（すなわち、受光部３８で観察される画像）に基づいて、表示部２８に表示される被検眼Ｅが画面上の中央に位置するように（すなわち、固視灯点光源２７による反射光が角膜の中央に位置決めされるように）、被検眼Ｅに対して光学系の位置調整を行う。
【００３５】
光学系の位置調整が完了すると、検査者は、角膜曲率測定用光源１６のみを点灯させる。すなわち、角膜曲率の測定においては、角膜形状測定用光源１４は点灯させない。上述したように、角膜測定用見口１２には、遮光部２６が設けられている。このため、光源１６からの光は、透光部１８ａ、１８ｃを透過せず、透光部１８ｂのみを透過する。したがって、被検眼Ｅの角膜表面には、一重のリング状のパターン光が投影される（図６参照）。次に、検査者は、被検者に一旦閉瞼させて均質な涙液層を角膜表面に形成させ、被検者が開瞼すると同時に撮影を開始するためのボタン（すなわち、操作部３０）を操作する。これにより、制御部５０が受光部３８を操作して、角膜表面からの反射像の撮影を行う。その後、制御部５０は、撮影された反射像に基づいて、被検眼Ｅの角膜曲率を算出する。
【００３６】
（角膜形状測定）
角膜曲率の測定が終了すると、検査者は、操作部３０を操作することによって、被検眼Ｅの角膜形状を測定するための角膜形状測定モードを選択する。すると、制御部５０は、筐体アクチュエータ３４を駆動して、図８に示すように、眼科装置１０に固定された被検眼Ｅと対物レンズ５２との間の距離が第２の作動距離Ｄ２となる位置まで、筐体１００を移動させる（図８の矢印６８参照）。第２の作動距離Ｄ２は、角膜曲率測定における第１の作動距離Ｄ１よりも短い。すなわち、筐体アクチュエータ３４は、筐体１００を被検眼Ｅに近づく方向に移動させる。続いて、検査者は、固視灯点光源２７を点灯させ、被検者に固視灯を固視するよう指示する。その後、制御部５０は、焦点位置調整アクチュエータ３６を駆動することにより、角膜表面からの反射光が受光部３８で結像する位置に焦点位置調整レンズ５６を移動させる（図８の矢印７０参照）。すなわち、筐体１００内において、焦点位置調整レンズ５６を後方へ移動させる。また、検査者は、角膜曲率測定と同様に、被検眼Ｅに対して光学系の位置調整を行う。
【００３７】
光学系の位置調整が完了すると、検査者は、角膜形状測定用光源１４を点灯させるとともに、角膜曲率測定用光源１６を点灯させる。すなわち、角膜形状の測定においては、全ての光源１４、１６を点灯させる。光源１４からの光は、透光部１８ａ、１８ｃを透過して被検眼Ｅに投影される。光源１６からの光は、透光部１８ｂを透過して被検眼Ｅに投影される。したがって、被検眼Ｅの角膜表面には、多重のリング状のパターン光が投影される（図５参照）。次に、検査者は、被検者に一旦閉瞼させて均質な涙液層を角膜表面に形成させ、被検者が開瞼すると同時に撮影を開始するためのボタン（すなわち、操作部３０）を操作する。これにより、制御部５０が受光部３８を操作して、角膜表面からの反射像の撮影を行う。その後、制御部５０は、撮影された反射像に基づいて、被検眼Ｅの角膜形状を算出する。
【００３８】
（眼圧測定）
角膜形状の測定が終了すると、検査者は、操作部３０を操作することによって、被検眼Ｅの眼圧を測定するための眼圧測定モードを選択する。すると、制御部５０は、見口アクチュエータ３２を駆動して、角膜測定用見口１２に代えて、眼圧測定用見口６２を被検眼Ｅに対向する位置まで移動させる。すなわち、眼圧測定用見口６２は、ノズル６４が被検眼Ｅの角膜に対向するように配置される。また、制御部５０は、筐体アクチュエータ３４を駆動して、図３に示すように、眼科装置１０に固定された被検眼Ｅと対物レンズ５２との間の距離が第３の作動距離Ｄ３となるように、筐体１００の位置を調整する。本実施例では、第３の作動距離Ｄ３は、第２の作動距離Ｄ２と略等しい。但し、第３の作動距離Ｄ３は、第２の作動距離Ｄ２よりも長くてもよいし短くてもよい。また、見口アクチュエータ３２による角膜測定用見口１２と眼圧測定用見口６２の駆動態様は、特に限定されない。例えば、各見口１２、６２を上下方向に駆動させることにより各見口１２、６２を被検眼Ｅに対向する位置まで移動させてもよい。また、各見口１２、６２を結ぶ線分の中点を中心として各見口１２、６２を回転駆動することにより、各見口１２、６２を被検眼Ｅに対向する位置まで移動させてもよい。
【００３９】
その後、上記各測定と同様に、検査者は、固視灯点光源２７を点灯させる。また、制御部５０は、焦点位置調整アクチュエータ３６を駆動することにより、角膜表面からの反射光が受光部３８で結像する位置に焦点位置調整レンズ５６を移動させる。また、検査者は、被検眼Ｅに対して光学系の位置調整を行う。
【００４０】
光学系の位置調整が完了すると、検査者は、眼圧測定用光源を点灯させる。そして、撮影を開始するためのボタンを操作する。すると、制御部５０は、シリンダ内のピストンを駆動制御することにより、ノズル６４に圧縮した空気を流入させ、被検眼Ｅの角膜に向けて空気を噴射する。空気が噴射されると角膜が変位変形するため、受光部３８で受光する光量が変化する。制御部５０は、受光部３８で得られた受光信号が所定の値になるまでの時間を測定し、当該測定値から被検眼Ｅの眼圧を算出する。
【００４１】
上述したように、本実施例の眼科装置１０は、被検眼Ｅの角膜曲率を測定するための角膜曲率測定モードと、被検眼Ｅの角膜形状を測定するための角膜形状測定モードとに切換え可能に構成されている。具体的には、制御部５０は、角膜曲率測定モードにおいては光源１６のみを点灯し、角膜形状測定モードにおいては光源１４、１６を共に点灯する。これにより、同一の角膜測定用見口１２から異なるパターン光（一重のリング状のパターン光、及び、多重のリング状のパターン光）を被検眼Ｅの角膜表面に投影することができる。このように、本実施例の眼科装置１０によれば、各測定に適したパターン光を同一の角膜測定用見口１２から被検眼Ｅの角膜表面に対して投影することができる。したがって、この眼科装置１０を用いることにより、単一の装置で被検眼Ｅの角膜曲率及び角膜形状の双方を測定することができる。
【００４２】
また、本実施例の眼科装置１０では、角膜測定用見口１２が遮光部２６を有している。遮光部２６は、角膜曲率測定用光源１６の光が、透光フィルム１８の透光部１８ａ、１８ｃ（すなわち、角膜形状測定用光源１４に対応する透光部）を透過せず、透光部１８ｂ（すなわち、角膜曲率測定用光源１６に対応する透光部）のみを透過するように配置されている。したがって、角膜曲率測定モードにおいて、光源１６から照射された光が、透光部１８ａ、１８ｃを介して被検眼Ｅに投影されることが防止される。すなわち、角膜曲率測定モードでは、透光部１８ｂのみを透過した一重のリング状のパターン光を好適に投影することができる。このように、本実施例の眼科装置１０によれば、角膜曲率測定モードでは、被検眼Ｅの角膜表面に対してリング状のパターン光が多重に投影されない。このため、例えば、涙液層の乱れに起因するパターン光同士の干渉が生じない。したがって、角膜曲率を精度良く測定することができる。
【００４３】
また、本実施例の眼科装置１０では、角膜曲率測定モードと角膜形状測定モードとにおいて、筐体アクチュエータ３４が、被検眼Ｅに対する筐体１００の位置を変更する。すなわち、この眼科装置１０では、各測定モードにおいて、異なる作動距離で各測定を実施する。具体的には、角膜曲率を測定する際の第１の作動距離Ｄ１が、角膜形状を測定する際の第２の作動距離Ｄ２よりも長い。すなわち、角膜形状を測定する際には、被検眼Ｅと対物レンズ５２の間の距離が比較的短くなり、被検眼Ｅの広範囲を撮影することができる。一方で、角膜曲率を測定する際には、被検眼Ｅと対物レンズ５２の間の距離が比較的長くなる。このため、被検者に器械近視が生じることを抑制することができる。このように、本実施例の眼科装置１０によれば、角膜曲率の測定と角膜形状の測定とを、同一の角膜測定用見口１２を用いて好適に実施することができる。
【００４４】
また、本実施例の眼科装置１０では、焦点位置調整アクチュエータ３６が、上記の作動距離Ｄ１、Ｄ２に応じた位置へ焦点位置調整レンズ５６を移動させる。このため、各測定において、被検眼Ｅの角膜表面からの明瞭な反射像を受光部３８で撮影することができる。
【００４５】
また、本実施例の眼科装置１０では、角膜測定用見口１２に加えて、眼圧測定用見口６２を備えている。眼圧測定時には、見口アクチュエータ３２が、角膜測定用見口１２に代えて、眼圧測定用見口６２を被検眼Ｅに対向する位置に移動させる。このように、本実施例の眼科装置１０では、見口部分を変更することにより、他の光学系を変更することなく被検眼Ｅの眼圧を測定することができる。
【００４６】
なお、上述した角膜曲率の測定、角膜形状の測定及び眼圧の測定を実施する順序は限定されない。上記各測定は、どのような順序で実施されてもよい。また、本実施例の眼科装置１０では、上記各測定の全てを実施しなくてもよい。例えば、被検眼Ｅの角膜曲率のみを測定してもよいし、被検眼Ｅの角膜曲率及び角膜形状のみを測定してもよい。
【００４７】
また、上述した実施例では、眼科装置１０が、被検眼Ｅの眼圧を測定するための眼圧測定用見口６２を備えていた。しかしながら、眼科装置１０は、眼圧測定用見口６２を備えていなくてもよい。すなわち、本実施例の眼科装置１０は、少なくとも角膜測定用見口１２を備えていればよく、当該見口１２を用いて被検眼Ｅの角膜曲率と角膜形状とを測定可能であればよい。
【００４８】
また、上述した実施例では、角膜測定用見口１２が遮光部２６を備えていた。しかしながら、角膜曲率測定用光源１６から透光部１８ａ、１８ｃを透過する光が、角膜曲率の測定に影響を及ぼさない場合には、遮光部２６を備えていなくてもよい。
【００４９】
また、上述した実施例では、角膜曲率測定の際、被検眼Ｅの角膜表面に対して一重のリング状のパターン光を投影した。しかしながら、角膜曲率測定においては、角膜表面に対して二重もしくはそれ以上のリング状のパターン光を投影してもよい。角膜曲率測定において、二重のリング状のパターン光を投影する場合、例えば、光源１６に加えて、内周側光源１４ｂのさらに内周側に各光源１４、１６と同心円状に配置された追加の光源を設けてもよい。この場合、角膜曲率測定では、光源１６及び当該追加の光源のみを点灯してもよい。また、当該追加の光源の前面側に、当該追加の光源に対応し、各透光部１８ａ、１８ｂ、１８ｃと同心円状に配置された１つの透光部を有する透光フィルムを設けてもよい。このような構成によれば、角膜曲率測定において、二重のリング状のパターン光を投影することができる。また例えば、透光部１８ａと透光部１８ｃの間に、同心円状に配置された２つの透光部１８ｂを設けてもよい。この場合、２つの透光部１８ｂの間に、ある程度の間隔（すなわち、二重になったリング状のパターン光同士が干渉しない程度の間隔）を設けてもよい。このような構成であっても、角膜曲率測定において、二重のリング状のパターン光を投影することができる。
【００５０】
また、上述した実施例では、被検眼Ｅの角膜表面に同心円状に配置されたリング状のパターン光を投影した。しかしながら、被検眼Ｅの角膜表面に投影するパターン光は、リング状に限られない。例えば、縦線、横線、グリッドなど、ある間隔で形作られた任意のパターンで角膜表面を覆うパターン光を用いることができる。このようなパターン光を用いた場合でも、角膜曲率測定モードと、角膜形状測定モードとにおいて、適当なパターン光をそれぞれ設定することによって、各測定を好適に実施することができる。
【００５１】
（対応関係）
角膜測定用見口１２が、「見口」の一例である。一重のリング状のパターン光が、「第１のパターン光」の一例である。多重のリング状のパターン光が、「第２のパターン光」の一例である。角膜曲率測定用光源１６、角膜形状測定用光源１４が、それぞれ「第１の光源」、「第２の光源」の一例である。透光部１８ｂが、「第１の透光部」の一例である。透光部１８ａ、１８ｃが、「第２の透光部」の一例である。
【００５２】
以上、本明細書に開示の技術の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。
【符号の説明】
【００５３】
１０：眼科装置、１２：角膜測定用見口、１２ａ：孔、１４：角膜形状測定用光源、１６：角膜曲率測定用光源、１８：透光フィルム、１８ａ：透光部、１８ｂ：透光部、１８ｃ：透光部、２０：第１部材、２２：第２部材、２４：第３部材、２６：遮光部、２７：固視灯点光源、２８：表示部、３０：操作部、３２：見口アクチュエータ、３４：筐体アクチュエータ、３６：焦点位置調整アクチュエータ、３８：受光部、４０：メモリ、５０：制御部、５２：対物レンズ、５４：ハーフミラー、５６：焦点位置調整レンズ、５８：レンズ、６２：眼圧測定用見口、１００：筐体
【図１】
2020195584.tif 000003
【図２】
2020195584.tif 000004
【図３】
2020195584.tif 000005
【図４】
2020195584.tif 000006
【図５】
2020195584.tif 000007
【図６】
2020195584.tif 000008
【図７】
2020195584.tif 000009
【図８】
2020195584.tif 000010